(57)【要約】      （修正有）【課題】いかなるタイプのカーテンレール組立体に対しても、後付け重ね合わせまたは単独で適用でき、２重カーテンレールの隙間を経る空気対流を遮断し、遮熱、遮光、防音効果に優れるカーテンアタッチメントを得る。【解決手段】既存のカーテン５およびカーテンレール組立体に対して取り付けることも可能なカーテンアタッチメントは、既存のカーテン５を吊るすフック４を利用して既存のカーテン５に重ね合わせて後付けすることも可能なカーテンシート６と、既存２重カーテンレール間の隙間を塞ぐよう少なくとも２重カーテンレール組立体上面をカバーするレールカバー１１とを有する。これらカーテンシート６およびレールカバー１１は、不織布にアルミニウム蒸着層８と、ポリエチレンフィルム層を有し、この積層体全体を包囲するよう合成繊維生地を縫製して形成する。【選択図】図２
0003142378.tif 000002
【実用新案登録請求の範囲】
【請求項１】
既存のカーテンおよびカーテンレール組立体に対して取り付けることも可能なカーテンアタッチメントにおいて、
既存のカーテンを吊るすフックを利用して既存のカーテンに重ね合わせて後付けすることも可能なカーテンシートであって、不織布にアルミニウムを蒸着した積層シート全体を包囲するよう合成繊維生地を縫製した、該カーテンシートと、
既存２重カーテンレール間の隙間を塞ぐよう少なくとも２重カーテンレール組立体上面をカバーする幅を有し、前記２重カーテンレール組立体に取り付け可能にしたレールカバーであって、不織布にアルミニウムを蒸着した積層ストリップ全体を包囲するよう合成繊維生地を縫製した、該レールカバーと
を備えたことを特徴とするカーテンアタッチメント。
【請求項２】
前記カーテンシートおよびレールカバーのアルミニウム蒸着面をポリエチレンフィルムでコーティングした請求項１記載のカーテンアタッチメント。
【請求項３】
前記カーテンシートは、１対のハーフカーテンの組み合せとした請求項１記載のカーテンアタッチメント。
【請求項４】
前記レールカバーは、１対のレールカバーハーフの組み合わせとし、これらレールカバーハーフの一方の端部に、カーテンレールに固定するレール固定手段を設け、他方の端部にはこのカーテンレールの長さに適合するよう、レールカバーハーフの他方の端部相互のオーバーラップ量を調整自在にしてカバーハーフを相互に連結するカバーハーフ連結手段を設けた請求項１〜３のうちいずれか一項に記載のカーテンアタッチメント。
【請求項５】
前記カバーハーフ連結手段は面ファスナとした請求項４記載のカーテンアタッチメント。
【請求項６】
前記レールカバーは、前記カーテンレールおよびカーテンの上端縁を隠蔽する縁垂れを有するものとした請求項１〜５のうちいずれか一項に記載のカーテンアタッチメント。
【請求項７】
前記レールカバーは、補強シートを積層させて剛性をもたせた請求項１〜６のうちいずれか一項に記載のカーテンアタッチメント。
【考案の詳細な説明】
【技術分野】
【０００１】
本考案は、既存のカーテンおよびカーテンレール組立体に対して取り付けることも可能にし、遮光性および断熱性を高めるカーテンアタッチメントに関する。
【背景技術】
【０００２】
従来遮光断熱効果を持たせた積層構造のカーテンとしては、例えば、特許文献１に記載のものがある。
【特許文献１】特開平９‐２５２９３１号公報
【考案の開示】
【考案が解決しようとする課題】
【０００３】
しかし、この特許文献１に記載されたカーテンは、このカーテンは、金属薄膜を蒸着した合成樹脂フィルムシートの両面に、ホットメルト接着材によって、色彩、デザイン性に富む２枚の合繊生地を接着したものであり、単独で使用することを目的としたカーテン生地であった。
また、この特許文献１に記載のカーテンは、金属薄膜を蒸着した合成樹脂フィルムシートの両面にホットメルト接着材を塗布し、２枚の合繊生地間に接着して空気層を生じないようにしていたため、空気層の断熱特性および防音特性を利用していなかった。
【０００４】
したがって、本考案の課題は、いかなるタイプのカーテンレール組立体に対しても、後付け重ね合わせまたは単独で適用でき、２重カーテンレールの隙間を経る空気対流を遮断し、遮熱、遮光、防音効果に優れるカーテンアタッチメントを得るにある。
【課題を解決するための手段】
【０００５】
この目的を達成するため、本考案は、既存のカーテンおよびカーテンレール組立体に対して取り付けることも可能なカーテンアタッチメントにおいて、
既存のカーテンを吊るすフックを利用して既存のカーテン生地に重ね合わせて後付けすることも可能なカーテンシートであって、不織布にアルミニウムを蒸着した積層シート全体を包囲するよう合成繊維生地を縫製した、該カーテンシートと、
既存２重カーテンレール間の隙間を塞ぐよう少なくとも２重カーテンレール組立体上面をカバーする幅を有し、前記２重カーテンレール組立体に取り付け可能にしたレールカバーであって、不織布にアルミニウムを蒸着した積層ストリップ全体を包囲するよう合成繊維生地を縫製した、該レールカバーと
を備えたことを特徴とする。
【考案の効果】
【０００６】
本考案カーテンアタッチメントによれば、カーテンシートおよびレールカバーは、不織布にアルミニウムを蒸着した積層シート全体を包囲するよう合成繊維生地（通気性の低い生地であるとより好適である）を縫製したため、アルミ蒸着層の両面には、対流をほとんど生じない空気層が２重に存在することになり、向上した遮熱、遮光、防音効果が得られる。
さらに、本考案カーテンアタッチメントによれば、単独でカーテンとして利用できるだけでなく、既存のカーテンに付加し、すなわち、既存のカーテンと一緒に同一のフックに引っ掛けて２重カーテンにすることができ、遮熱、遮光、防音効果を一層向上することができるとともに、レールカバーにより、２重カーテンレール間の隙間を経る空気対流を遮断し、遮熱、遮光効果を向上することができ、したがって、暖房効果、省エネ効果が得られる。
【考案を実施するための最良の形態】
【０００７】
本考案の好適な実施形態においては、カーテンシートおよびレールカバーのアルミニウム蒸着面をポリエチレンフィルムでコーティングする。この実施形態によれば、遮熱、遮光、防音効果がより一層向上する。
【０００８】
本考案の他の好適な実施形態においては、カーテンシートは、１対のハーフカーテンの組み合せとする。この実施形態によれば、カーテンを片側開きではなく、両開きにすることができ、カーテンの開け閉めが容易になる。
【０００９】
また、本考案の好適な実施形態によれば、レールカバーは、１対のレールカバーハーフの組み合わせとし、これらレールカバーハーフの一方の端部に、カーテンレールに固定するレール固定手段を設け、他方の端部にはこのカーテンレールの長さに適合するよう、レールカバーハーフの他方の端部相互のオーバーラップ量を調整自在にしてカバーハーフを相互に連結するカバーハーフ連結手段を設ける。この実施形態によれば、いかなる寸法のカーテンレールに対しても適用できる。
【００１０】
この場合、カバーハーフ連結手段を面ファスナとすると、長さ調整が容易となる。
【００１１】
さらに、本考案の他の実施形態においては、レールカバーは、カーテンレールおよびカーテンの上端縁を隠蔽する縁垂れを有するものとし、またレールカバーは、補強シートを積層させて剛性をもたせる。この実施形態によれば、レール遮蔽ボックスとして機能できる。
【００１２】
つぎに、図面につき本考案の好適な実施例を説明する。
【実施例】
【００１３】
図１は、部屋の窓がある壁面に後付けしたカーテンレール組立体１を示す。このような後付けカーテンレール組立体１は、１対のレール１ａおよび１ｂを、互いに間隔をおいて少なくとも１対のブラケット２により連結し、また壁面に固定する。
【００１４】
レール１ａには、通常レース地のレースカーテン３をフック４（図２参照）によりつり下げ、レール１ｂには、厚手の織物生地のカーテン５をつり下げるのが一般的である。本考案によれば、図２に示すように、このようなすでにつり下げている既存カーテン５が使用しているフック４で、本考案によるカーテンシート６を重ね合わせにしてつり下げる。このカーテンシート６を単独でつり下げることもできる。
【００１５】
本考案によるカーテンシート６は、図３に示すように、不織布７にアルミニウムを蒸着したアルミ蒸着層８を有する積層シート全体を包囲するよう合成繊維生地９を縫製して構成する。図示の実施例では、アルミ蒸着層８上にさらにポリエチレンフィルムでコーティング層１０を設ける。本考案によれば、このアルミ蒸着層８により遮光性が向上する。
【００１６】
本考案に関して、断熱性試験を行ったところ、従来品の遮光（抗菌）カーテンおよび通常の遮光（断熱）カーテンシート６の断熱効果が、それぞれ４７．０％および２９．２％に比べると、本考案による遮光断熱カーテンによれば、７１．２％の断熱効果が確認された。
【００１７】
さらに、本考案に関して、保温性試験を行ったところ、従来品の遮光（抗菌）カーテンおよび通常の遮光（断熱）カーテンシート６の保温効果が、それぞれ３２．８％および２７．９％であったのに比べると、本考案による遮光断熱カーテンによれば、平均で５６．６％の保温効果が確認された。
【００１８】
本考案の好適な実施例においては、カーテンは、１対のハーフカーテンの組み合せとし、また長さも数種類用意しておく。
【００１９】
本考案カーテンアタッチメントは、このカーテンシート６の他に、既存２重カーテンレール１ａ，１ｂ間の隙間を塞ぐよう少なくとも２重カーテンレール組立体１の上面をカバーする幅を有し、２重カーテンレール組立体に取り付け可能にしたレールカバー１１を有する。このレールカバー１１も、カーテンシート６と同様に、不織布にアルミニウムを蒸着した積層ストリップ全体を包囲するよう合成繊維生地を縫製して形成し、好適には、カバーストリップのアルミニウム蒸着面をポリエチレンフィルムでコーティングする。より、好適には、補強シートを積層させて剛性をもたせる。これにより、２重カーテンレール間の隙間を経る空気対流を遮断し、遮熱、遮光効果を向上することができ、したがって、暖房効果、省エネ効果が得られる。
【００２０】
さらに好適には、図２に示す実施例のように、レールカバー１１は、カーテンレールおよびカーテンの上端縁を隠蔽する縁垂れ１２を有するものとする。
これにより、２重カーテンレール間の隙間遮断機能の他に、カーテンボックスとしても機能することができる。
【００２１】
好適な実施例によれば、レールカバー１１は、１対のレールカバーハーフの組み合わせとし、これらレールカバーハーフの一方の端部に、カーテンレールに固定するレール固定手段を設け、他方の端部にはこのカーテンレールの長さに適合するよう、レールカバーハーフの他方の端部相互のオーバーラップ量を調整自在にしてカバーハーフを相互に連結するカバーハーフ連結手段を設ける。レール固定手段およびカバーハーフ連結手段は、それぞれ、面ファスナにより構成すると好適である。
【産業上の利用可能性】
【００２２】
本考案カーテンアタッチメントは、住宅の窓における後付けカーテンレール組立体、または既存のカーテンに重ね合わせて取り付けるのに利用でき、遮光性および断熱性を一層向上させることができる。単独でもカーテンとした利用でき、また、レールカバーによって、２重カーテンレール間の隙間を経る空気対流を遮断し、遮熱、遮光効果を向上することができ、したがって、暖房、省エネ対策に利用できる。
【図面の簡単な説明】
【００２３】
【図１】本考案を適用する後付けカーテンレール組立体を示す斜視図である。
【図２】後付けカーテンレール組立体に本考案によるカーテンアタッチメントを取り付けた状態を示す線図的断面図である。
【図３】本考案によるカーテンアタッチメントのカーテンシートの線図的部分断面図である。
【符号の説明】
【００２４】
１  後付けカーテンレール組立体
１ａ  （レース地カーテン用）レール
１ｂ  （カーテン用）レール
２  ブラケット
３  レースカーテン
４  フック
５  既存カーテン
６  カーテンシート（本考案）
７  不織布
８  アルミ蒸着層
９  合成繊維生地
１０  レール遮蔽ボックス
１１  レールカバー
１２  縁垂れ
【図２】
0003142378.tif 000003
【図３】
0003142378.tif 000004
【図１】
0003142378.tif 000005